(57)【要約】      （修正有）【課題】消しゴムが交換可能で、追加部品をなくしてコスト削減を図るシャープペンシルを提供する。【解決手段】軸筒部は芯タンク部１１０と外筒部１２０を含み、芯タンク部１１０は外筒部１２０に収容し、その下端にチャック部１１３を設けて芯を挟む。口金部１３０は、中空状の錐体であり、外筒部１２０の下端に連接し、受け台１３３と芯案内部１３４を含む。受け台１３３は、芯タンク部１１０内側のチャック部１１３に連結し、芯案内部１３４は錐体の錐端にて、受け台１３３と連結して芯を案内する。押下キャップ１４０は芯タンク部１１０の上端に挿入し、軸心線から上方に突起部１４３を形成する。消しゴム部は消しゴム１５０と少なくとも一つのスペア消しゴムを有する。消しゴム１５０の一端面にそれぞれ凹み孔１５１を設け、押下キャップ１４０の突起部１４３に装着する。【選択図】図１
0003147542.tif 000002
【実用新案登録請求の範囲】
【請求項１】
シャープペンシルの改良構造において、
軸筒部と、口金部と、押下キャップと、消しゴム部とを含み、
前記軸筒部は芯タンク部と外筒部とを有し、
内部に芯を収容する前記芯タンク部はその上下に芯の通過が可能な二つの開口端を有し、
前記下部開口端に芯を挟持可能なチャック部を設け、
さらにチャック部に弾性部材を外装し、
前記外筒部は内部に収容空間を形成し、かつその開口端と閉鎖端をそれぞれ有する中空体であり、
中空体の内径は芯タンク部を収容し得るように芯タンク部の外径より大きく、
前記閉鎖端に設けた案内孔に前記芯タンク部のチャック部の開口端を挿通し、
中空で錐体状を呈する前記口金部は、その底部と錐端にそれぞれ開口窓を設け、前記開口窓は前記外筒部と前記閉鎖端とそれぞれ連接し、
前記錐体はさらに前記錐体内側の底部に取付ける受け台と、前記チャック部に連結する芯案内部とを有し、
前記芯案内部は、前記錐体の錐端を挿通して、前記受け台に連結して芯を案内し、
中空で短い筒状の前記押下キャップは、上蓋ケーシングを備え、他方の端面に形成した開口端の内径は芯タンク部の外径より大きく、前記押下キャップを前記芯タンク部の上方の開口端に挿入し、
前記上蓋ケーシングの中央部には上方に向けて突起部を設け、
前記消しゴム部は、消しゴムと少なくとも一つのスペア消しゴムとを有し、
前記消しゴムはその一端面の中央部に凹み孔を設け、
前記凹み孔の内径と深さを前記押下キャップの突起部に対応して形成し、
前記消しゴム部を前記押下キャップに挿入し、
前記少なくとも一つのスペア消しゴムは、その中央部に凹み孔を備え、
前記凹み孔の内径と深さは、前記押下キャップの前記突起部に対応し、
消しゴム部を交換可能なように、前記スペア消しゴムを前記押下キャップに挿入したことを特徴とするシャープペンシルの改良構造。
【請求項２】
前記芯タンク部の弾性部材がばねであることを特徴とする請求項１記載のシャープペンシルの改良構造。
【請求項３】
前記押下キャップの前記突起部は短い筒状の中空体であり、その直径は前記芯タンク部の直径に等しいことを特徴とする請求項１記載のシャープペンシルの改良構造。
【請求項４】
前記消しゴム部は前記押下キャップと結合する外縁がさらに、Ｏリングを挿入し、前記消しゴムと前記押下キャップの相関位置を固定することを特徴とする請求項１記載のシャープペンシルの改良構造。
【請求項５】
前記消しゴムの前記凹み孔は前記消しゴム本体を通り抜けて、軸孔を形成し、前記軸孔の内径は、押下キャップの前記短い筒状の中空体に適し、前記消しゴムは両端面のいずれより前記押下キャップに挿入できることを特徴とする請求項３記載のシャープペンシルの改良構造。
【請求項６】
前記スペア消しゴムの前記凹み孔は、前記スペア消しゴム本体を通り抜けた軸孔を形成し、前記軸孔内径は、押下キャップの前記短い筒状の中空ケーシング体に適し、前記スペア消しゴムは両端面のいずれより前記押下キャップに挿入できることを特徴とする請求項３記載のシャープペンシルの改良構造。
【請求項７】
前記スペア消しゴムは円柱体であり、その外径は前記外筒部の内径より小さく、その軸方向の長さは、前記外筒部軸方向の長さより小さい、かつ前記スペア消しゴムの前記軸孔内径は前記芯タンク部外径より大きく設け、前記スペア消しゴムは前記芯タンク部を通り抜けて、前記外筒部に収容することを特徴とする請求項４記載のシャープペンシルの改良構造。
【考案の詳細な説明】
【技術分野】
【０００１】
本考案はシャープペンシルの改良構造に関し、特に消しゴムを交換できるシャープペンシルの改良構造に関わるものである。
【背景技術】
【０００２】
古くから鉛筆は、日常生活の仕事や学習において、文字の記録と図画の描写等に使われている文具である。
時代の変遷に伴い、シャープペンシルが開発された。
シャープペンシルは従来の鉛筆に比べて鉛筆を削ることが不要のことと、ペン先のなまくら等の問題が解決されることから、使用するうえで便利性が格段に向上して次第に鉛筆に替わり、日常生活で常用する筆記用具となっている。
【０００３】
現在のシャープペンシルは、その上端に消しゴムが取り付けられて、書き込んだ文書や図画等の間違い箇所を修正できる。
しかしながら公知のシャープペンシルに取り付けられた消しゴムは、固定式が多いため、数回使用すると消しゴムが折れたりするだけでなく、消しゴムの磨耗や変質の難点があり、利用者を悩ませている。
【０００４】
これを解決するために、ローラーにより消しゴムの移動を制御したり、回転筒体を追加して設けたり、或いはシャープペンシルの内側から消しゴムを繰り出す機構を付設する等のいくつかの解決策が提案された。
【考案の開示】
【考案が解決しようとする課題】
【０００５】
しかしながら、前記した従来の改良技術は、シャープペンシルの構成として追加部品が必要であったり、コスト高を招いたりするため、その改善効果は理想的ではない。
本考案は以上の点に鑑みて成されたもので、コストの低減と、追加部品をなくしたシャープペンシルを提供することを目的とする。
さらに本考案は、消しゴムが交換可能なシャープペンシルを提供するもので、利用者が簡単に消しゴムを交換できる、シャープペンシルを提供することを主な目的とする。
【課題を解決するための手段】
【０００６】
本考案に係るシャープペンシルの改良構造は主に、軸筒部、口金部、押下キャップと、消しゴム部とを含む。軸筒部は芯タンク部と外筒部とを含む。芯タンク部は中空管体であり、上下二つの開口端を設け、芯を通り抜ける。そのうち、下部開口端の内側にチャック部を設けて芯を挟む。前記チャック部はさらに弾性部材を含め、前記芯タンク部の内側に挿入する。外筒部は中空管体であり、開口端と閉鎖端を備え、管の内径を芯タンク部の外径より大きく設け、芯タンク部を収容できる。さらに、閉鎖端に案内孔を設け、芯タンク部のチャック部は前記の案内孔を通り抜ける。
【０００７】
口金部は、中空状の錐体であり、その底部と錐端は開口窓をそれぞれ設け、底部開口窓は外筒部の閉鎖端に連接し、錐体内側に受け台と芯案内部をそれぞれ設ける。前記受け台は錐体内側の底部に設け、芯タンク部内側のチャック部を引き受ける。芯案内部は前記錐体の錐端を介して受け台に連結し、芯を案内する。
【０００８】
押下キャップは短い筒状の中空ケーシング体であり、一端面にケーシング上蓋を設け、他方の端面に開口窓を形成し、開口窓の内径を芯タンク部の外径より大きく設け、押下キャップを芯タンク部の開口端上部に挿入する。ケーシング上蓋の中央部は、押下キャップの軸心線から上方に突起部を形成する。
【０００９】
消しゴム部は、消しゴムと少なくとも一つのスペア消しゴムを含む。消しゴム一端面の中央部に備える凹み孔は、押下キャップの突起部に対応し、消しゴムを押下キャップに挿入する。スペア消しゴム一端面の中央部も押下キャップの突起部に対応する凹み孔を設け、スペア消しゴムを前記押下キャップに挿入し、消しゴムの取り換えができる。
【００１０】
本考案の長所と精神は以下の詳細説明及び添付した図面により、さらなるの理解ができる。
【考案を実施するための最良の形態】
【００１１】
［実施例１］
実施例１を図面と併せて詳細説明する。
図１に、本考案に係るシャープペンシルの改良構造実施例１の立体分解図を示す。
同図において、前記シャープペンシル１００は芯タンク部１１０、外筒部１２０、口金部１３０、押下キャップ１４０、消しゴム１５０及びＯリング１６０からなる。
芯タンク部１１０は中空ケーシング体であり、上部開口端１１１と下部開口端１１２を有する。前記下部開口端１１２の内側にチャック部１１３を設け、チャック部１１３の外面にばね１１４を挿入する。
【００１２】
前記外筒部１２０は中空ケーシング体であり、その内径を芯タンク部１１０の外径より大きく設け、かつ前記外筒部１２０は開口端１２１と閉鎖端１２２二つの端面を有し、両者によって外筒部１２０の内側に開口状の収容空間を形成し、芯タンク部１１０を前記の収容空間に収容する。前記閉鎖端１２２はさらに案内孔１２３を開け、芯タンク部１１０のチャック部１１３とばね１１４は前記案内孔１２３を介して、口金部１３０に連結する。
【００１３】
口金部１３０は中空ケーシング体であり、前記口金部１３０の底部に開口窓１３１を設け、外筒部１２０の閉鎖端１２２と結合する。口金部１３０の錐端も開口窓１３２を設ける。前記口金部１３０の内側はさらに、受け台１３３と芯案内部１３４を設ける。受け台１３３は口金部１３０の底部において受け持ち、芯タンク部１１０のチャック部１１３に連結する。一方、芯案内部１３４は受け台１３３に連結し、錐端開口窓１３２を介して、芯を外部に案内する。
【００１４】
押下キャップ１４０は短い筒状の中空ケーシング体である。その一端面は上蓋ケーシング１４１を備え、他方の端面は開口窓１４２を形成する。上蓋ケーシング１４１の中央部は、押下キャップの軸心線から上方に円柱状の突起部１４３を形成する。さらに、押下キャップ１４０開口窓１４２の内径を芯タンク部１１０の外径より大きく設け、押下キャップ１４０を芯タンク部１１０上部開口端１１１に挿入する。
【００１５】
消しゴム１５０は、一端面の中央部から軸方向に沿って、凹み孔１５１を開け、その直径と深さは押下キャップ１４０の円柱体突起部１４３に対応し、消しゴム１５０は前記凹み孔１５１を介して、押下キャップ１４０と結合し、Ｏリング１６０により、両者を固定させる。
【００１６】
図２に、本考案の実施例１に係るシャープペンシルの立体組合せ図を示す。
この図において、芯タンク部１１０は外筒部１２０の内側を通り抜け、その下部開口端にチャック部１１３を設け、チャック部１１３の外縁にばね１１４を挿入し、チャック部１１３とばね１１４は外筒部案内孔１２３を通り抜けて、外筒部１２０に接続された口金部１３０の内側に進入し、口金部１３０内側の芯案内部１３４と結合して、シャープペンシルの芯を口金部１３０の外側に案内する。さらに、芯タンク部上方の開口端に押下キャップ１４０を設ける。
【００１７】
押下キャップ１４０はさらに、消しゴム１５０を挿入し、Ｏリング１６０によって、消しゴム１５０と押下キャップ１４０との相関位置を固定する。それに伴い、前記消しゴム１５０は、前記Ｏリング１６０の開閉により、押下キャップ１４０から取り外し又は装着できる。他のスペア消しゴムと便利に交換の機能を有する。
【００１８】
図３は本考案の実施例１に係るシャープペンシルにおけるスペア消しゴムの立体概略図である。
この図において、スペア消しゴム収容タンク１７０は内部に複数のスペア消しゴム１８０ａ、１８０ｂと１８０ｃを挿入し、前記複数の消しゴム一端面の中央部は、軸方向に沿って軸孔１８１ａ、１８１ｃ又は凹み孔１８１ｂを設け、その直径と深さは押下キャップ１４０の円柱体突起部１４３に対応し、スペア消しゴム１８０ａ、１８０ｂと１８０ｃは押下キャップ１４０に結合して、消しゴム１５０の交換に備える。 
【００１９】
［実施例２］
本考案に係るシャープペンシルの改良構造は、前記の組合せにより、スペア消しゴムが交換できるほか、他の方式による組合せもできる。
引き続き、図４に本考案に係るシャープペンシルの改良構造実施例２の立体組み合わせ図を示す。
この図において、シャープペンシル２００は芯タンク部２１０、外筒部２２０、口金部２３０、押下キャップ２４０、消しゴム２５０、Ｏリング２６０と複数のスペア消しゴム２８０ａ、２８０ｂからなる。芯タンク部２１０は外筒部２２０の内側を通り抜ける。その下部開口端にチャック部２１３を設け、チャック部２１３の外縁にばね２１４を挿入し、チャック部２１３とばね２１４は外筒部２２０を通り抜け、外筒部２２０に連接された口金部２３０の内側に進入し、口金部２３０内側の芯案内部２３２と結合して、シャープペンシルの芯を口金部２３０の外側に案内する。
【００２０】
スペア消しゴム２８０ａ、２８０ｂは短い筒状の中空ケーシング体であり、その直径は外筒部２２０の内径より小さく設け、かつ軸方向長さは外筒部２２０の軸方向長さより短い。スペア消しゴム２８０ａ、２８０ｂの中央部に軸孔を開け、その孔径は芯タンク部２１０の外筒部の径に相当する。それに伴い、前記スペア消しゴム２８０ａ、２８０ｂは芯タンク部２１０を通り抜けて外筒部２２０の収容空間に収容する。
【００２１】
芯タンク部２１０の上部開口端に押下キャップ２４０を設け、前記押下キャップ２４０の上方に消しゴム２５０を挿入し、Ｏリング２６０により、消しゴム２５０と押下キャップ２４０の相関位置を固定する。このほか、前記消しゴム２５０は前記Ｏリング２６０の開閉操作で、押下キャップ２４０の押下操作で取り外し又は装着でき、スペア消しゴム２８０ａ又は２８０ｂの交換に便利を提供する。
【００２２】
以上の説明は本考案の好ましい実施例であり、本考案の請求の範囲に制限を加わえるものではない。よって、本考案の特許請求範囲による等効果変化または修飾は、本考案に含まれるものである。
【図面の簡単な説明】
【００２３】
【図１】本考案に係るシャープペンシルの改良構造の実施例１の立体分解概略図である。
【図２】本考案に係るシャープペンシルの改良構造の実施例１の立体組合せ概略図である。
【図３】本考案に係るシャープペンシルの改良構造の実施例１のスペア消しゴムの立体概略図である。
【図４】本考案に係るシャープペンシルの改良構造の実施例２の立体組合せ概略図である。
【符号の説明】
【００２４】
１００・・・・・シャープペンシル
１１０・・・・・芯タンク部
１１１・・・・・芯タンク部上部開口端
１１２・・・・・芯タンク部下部開口端
１１３・・・・・チャック部
１１４・・・・・ばね
１２０・・・・・外筒部
１２１・・・・・外筒部開口端
１２２・・・・・外筒部閉鎖端
１２３・・・・・外筒部案内孔
１３０・・・・・口金部
１３１・・・・・底部開口端
１３２・・・・・錐端開口端
１３３・・・・・受け台
１３４・・・・・芯案内部
１４０・・・・・押下キャップ
１４１・・・・・押下キャップ上蓋ケーシング
１４２・・・・・押下キャップ開口端
１４３・・・・・押下キャップ突起部
１５０・・・・・消しゴム
１５１・・・・・消しゴム凹み孔
１６０・・・・・Ｏリング
１７０・・・・・スペア消しゴム収容タンク
１８０・・・・・スペア消しゴム
１８０ｂ・・・・スペア消しゴム
１８０ｃ・・・・スペア消しゴム
１８１ａ・・・・スペア消しゴム軸孔
１８１ｂ・・・・スペア消しゴム凹み孔
１８１ｃ・・・・スペア消しゴム軸孔
２００・・・・・シャープペンシル
２１０・・・・・芯タンク部
２１３・・・・・チャック部
２１４・・・・・ばね
２２０・・・・・外筒部
２３０・・・・・口金部
２３２・・・・・芯案内部
２４０・・・・・押下キャップ
２５０・・・・・消しゴム
２６０・・・・・Ｏリング
２８０ａ・・・・スペア消しゴム
２８０ｂ・・・・スペア消しゴム
【図１】
0003147542.tif 000003
【図２】
0003147542.tif 000004
【図３】
0003147542.tif 000005
【図４】
0003147542.tif 000006